(57)【要約】【課題】交流変圧器と配電盤とを接続する回路が正しく設置されているかを点検できる回路点検装置を提供することを目的とする。【解決手段】本発明は、交流変圧器及び配電盤を接続する点検対象回路に接続され、該点検対象回路の点検を行う回路点検装置であって、点検対象回路の設置の良否結果を演算する演算部を備え、演算部は、点検対象回路の交流各相のそれぞれから供給される試験電気を用いて、点検対象回路の各相の抵抗値を導出する抵抗導出部と、該抵抗導出部により導出された各相の抵抗値を比較して、点検対象回路の設置異常を判断する比較判断部とを有することを特徴とする回路点検装置である。【選択図】図１
2016128793.tif 000002
【特許請求の範囲】
【請求項１】
交流変圧器及び配電盤を接続する点検対象回路に接続され、該点検対象回路の点検を行う回路点検装置であって、
点検対象回路の設置の良否結果を演算する演算部を備え、
演算部は、点検対象回路の交流各相のそれぞれから供給される試験電気を用いて、点検対象回路の各相の抵抗値を導出する抵抗導出部と、該抵抗導出部により導出された各相の抵抗値を比較して、点検対象回路の設置異常を判断する比較判断部とを有する
ことを特徴とする回路点検装置。
【請求項２】
点検対象回路の各相から既定の試験電気が流れる負荷回路をさらに備え、
演算部は、交流各相について試験電気が流れる前及び流れている際の点検対象回路の対地間電圧を測定する電圧測定部を有し、
抵抗導出部は、該電圧測定部で測定された試験電気が流れる前の点検対象回路の対地間電圧及び流れている際の点検対象回路の対地間電圧の差と既定の電流値とから各相の抵抗値を導出する請求項１に記載の回路点検装置。
【請求項３】
比較判断部は、試験電気が流れている際の点検対象回路の各相の対地間電圧が所定の値を下回っている際に、点検対象回路を異常と判断する請求項１又は２に記載の回路点検装置。
【発明の詳細な説明】
【技術分野】
【０００１】
本発明は、交流変圧器及び配電盤を接続する点検対象回路に接続され、該点検対象回路の点検を行う回路点検装置に関する。
【背景技術】
【０００２】
従来、発電所及び変電所には、多数の保護盤や制御盤等の多くの配電盤が設置されており、配電盤を動作させる電源として、高圧の三相交流回路に接続された計器用変圧器（以下、ＰＴという）が設置されている。ＰＴと配電盤とは電源分割部を介して接続されており、配電盤は、配線接続部や端子台等により電源分割部に接続されている。
【０００３】
このような発電所及び変電所において、新たに配電盤を設置した際には、新たに設置した配電盤へ電源電圧が供給されているか確認を行い、ＰＴと配電盤との間に設置された回路（以下、点検対象回路という）の動作確認を行っている。具体的には、点検対象回路の動作確認では、新たに設置した配電盤に正常に電源電圧が供給されているかを電圧計等で確認し、配電盤を試験的に動作させて点検対象回路の動作が正常であるか否かを確認している（例えば、特許文献１）。
【０００４】
電源電圧を電圧計により確認する場合には、点検対象回路に流れる負荷電流が小さい（例えば、２００ＶＡのＰＴなら１００％負荷でも約３Ａ程度）ことから、点検対象回路の電圧降下が小さく、各相の負荷や他の配電盤等の負荷が同じでないため、単に電源電圧を測定しただけでは、ＰＴから確認対象設備までの配線の接触不良等の不具合判断は困難であった。例えば、配線接続部や端子台等において、少しでも金属部が接触していると正常な電源電圧が測定されてしまい、配線接続部や端子台等と配電盤に繋がる配線との接続の緩み（接触不良）を検出することは困難であった。
【０００５】
点検対象回路の端子台への締付け不良などを原因とする接触不良がある場合、配電盤の設置直後には接触面が酸化していないことから不具合の発生は少ないが、経年とともに接触部が酸化して接触抵抗が増加し不具合が発生することがある。そのため、点検対象回路の接触不良等の設置異常は、設置時に確認できることが好ましい。
【先行技術文献】
【特許文献】
【０００６】
【特許文献１】特開平０８−２８５９０３号公報
【発明の概要】
【発明が解決しようとする課題】
【０００７】
そこで、本発明は、交流変圧器と配電盤とを接続する回路が正しく設置されているかを点検できる回路点検装置を提供することを目的とする。
【課題を解決するための手段】
【０００８】
本発明は、交流変圧器及び配電盤を接続する点検対象回路に接続され、該点検対象回路の点検を行う回路点検装置であって、点検対象回路の設置の良否結果を演算する演算部を備え、演算部は、点検対象回路の交流各相のそれぞれから供給される試験電気を用いて、点検対象回路の各相の抵抗値を導出する抵抗導出部と、該抵抗導出部により導出された各相の抵抗値を比較して、点検対象回路の設置異常を判断する比較判断部とを有する回路点検装置である。
【０００９】
このような構成において、抵抗導出部は、点検対象回路の交流各相から供給される試験電気の大きさに基づいて、点検対象回路の各相の抵抗値を導出する。導出された各相の抵抗値は、同一となっていることが好ましい。そこで、比較判断部は、抵抗導出部により導出された各相の抵抗値を比較する。そして、比較判断部は、比較の結果、各相の抵抗値が異なることで、点検対象回路の異常を判断する。これにより、各相の抵抗値を相対的に容易に判断することができる。
【００１０】
また、本発明に係る回路点検装置の一態様として、点検対象回路の各相から既定の試験電気が流れる負荷回路をさらに備え、演算部は、交流各相について試験電気が流れる前及び流れている際の点検対象回路の対地間電圧を測定する電圧測定部を有し、抵抗導出部は、該電圧測定部で測定された試験電気が流れる前の点検対象回路の対地間電圧及び流れている際の点検対象回路の対地間電圧の差と既定の電流値とから各相の抵抗値を導出してもよい。
【００１１】
このような構成において、電圧測定部は、点検対象回路に試験電気が流れる前における点検対象回路の対地間電圧を測定する。その後、負荷回路には、点検対象回路から既定の試験電気が流れる。電圧測定部は、負荷回路に試験電気が流れている際の点検対象回路の交流各相の対地間電圧を測定する。
【００１２】
抵抗導出部は、試験電気が流れる前における点検対象回路の各相の対地間電圧と試験電気が流れている際の点検対象回路の各相の対地間電圧の差と、既定の電流値（試験電気の電流値）とから、各相の抵抗値を導出する。比較判断部は、導出された各相の抵抗値を比較し、各相間の抵抗値が異なる際に、点検対象回路を設置異常と判断する。これにより、点検対象回路の停電等をすることなく、点検対象回路が正常に設置されているか否かを判断することができる。
【００１３】
また、本発明に係る回路点検装置の他態様として、比較判断部は、試験電気が流れている際の点検対象回路の各相の対地間電圧が所定の値を下回っている際に、点検対象回路を異常と判断してもよい。
【００１４】
このような構成において、負荷回路に試験電気が流れている際に、電圧測定部により測定された点検対象回路の各相の対地間電圧が所定の値を下回っている場合、比較判断部は、点検対象回路に用いられているケーブルの径が小さい等、点検対象回路の設計が不適切であると判断する。このように、比較判断部が点検対象回路の異常を判断することで、点検対象回路の停電等をすることなく、点検対象回路の異常を判断することができる。
【発明の効果】
【００１５】
以上のように、本発明によれば、交流変圧器と配電盤とを接続する回路が正しく設置されているかを点検できる回路点検装置を提供することができる。
【図面の簡単な説明】
【００１６】
【図１】図１は、本発明の一実施形態に係る回路点検装置及び該回路点検装置の点検対称となる点検対象回路を示す図である。
【図２】図２は、同実施形態に係る回路点検装置の演算部の構成を示す図である。
【図３】図３は、同実施形態に係る回路点検装置の流れを示すフローチャート図である。
【図４】図４は、試験電気を流す前の対地間電圧を測定した各相の点検対象回路を示し、図４（ａ）は赤相の点検対象回路、図４（ｂ）は青相の点検対象回路、図４（ｃ）は白相の点検対象回路を示す。
【図５】図５は、試験電気を流している際の対地間電圧を測定した各相の点検対象回路を示し、図５（ａ）は赤相の点検対象回路、図５（ｂ）は青相の点検対象回路を示す。
【発明を実施するための形態】
【００１７】
以下、本発明の一実施形態に係る回路点検装置について、添付図面を参照しつつ説明する。
【００１８】
まず、本実施形態の回路点検装置を説明する前に、図１を用いて、点検対象となる回路（点検対象回路）について説明する。
【００１９】
交流変圧器２０は、計器用変圧器３０に接続される。該計器用変圧器３０は、第１回路７０を介して電源分割部４０に接続される。電源分割部４０において、第１回路７０は、複数の回路に分割される。本実施形態において、第１回路７０は、接続端子８１，８２，８３を介して第２回路９１，９２，９３の三つの回路に分割される。第２回路９１，９２，９３のそれぞれは、配電盤１００，１１０，１２０に接続される。
【００２０】
本実施形態において、配電盤１２０は、新たに電源分割部４０に接続された点検対象配電盤であり、本実施形態に係る回路点検装置１により点検対象となる回路は、第１回路７０、接続端子８１、及び第２回路９１である。以下、この点検対象となる回路を点検対象回路Ａとして説明する。
【００２１】
次に、本実施形態に係る回路点検装置１を図１乃至図５を用いて説明する。
【００２２】
回路点検装置１は、交流変圧器２０及び配電盤１２０を接続する点検対象回路Ａに接続され、該点検対象回路Ａの点検を行う回路点検装置１であって、点検対象回路Ａの設置の良否結果を演算する演算部１３を備える。また、本実施形態に係る回路点検装置１は、点検対象回路Ａの交流各相のそれぞれから試験電気が流れる負荷回路１０をさらに備える。そして、本実施形態に係る回路点検装置１は、負荷回路１０の電流値をＡＤ変換するＡＤコンバータ１１と、負荷回路１０、ＡＤコンバータ１１、及び演算部１３を互いに接続するインタフェース（ＩＦ）回路１２と、演算部１３に接続される記憶部１４と、インタフェース回路１２に接続される表示部１５と、インタフェース回路１２に接続されるスイッチ部１６とをさらに備える。本実施形態において、一例として、交流変圧器２０から供給される電気は、交流三相として説明される。また、回路点検装置１及び点検対象回路Ａを接続する電線１７は、一端を配電盤１２０の点検端子１２１（以下、ＰＴＴ１２１という）に接続され、他端を回路点検装置１に接続される。そして、電線１７は、三相交流に合わせ、各相のＰＴＴ１２１に接続される第１電線１７ａ、第２電線１７ｂ、及び第３電線１７ｃの３つの電線により構成される。
【００２３】
図２に示すように、演算部１３は、試験電気の電流値を既定値とするように負荷回路１０を制御する負荷回路制御部１３１と、交流各相について試験電気が流れる前及び流れている際の点検対象回路Ａの対地間電圧を測定する電圧測定部１３２とを備える。また、演算部１３は、点検対象回路Ａの交流各相のそれぞれから供給される試験電気を用いて、点検対象回路Ａの各相の抵抗値を導出する抵抗導出部１３４と、該抵抗導出部１３４により導出された各相の抵抗値を比較して、点検対象回路の設置異常を判断する比較判断部１３５とを備える。そして、演算部１３は、スイッチ部１６に対して電線１７を切り替える信号を送出する電線切替部１３６と、表示部１５に対して警告表示をさせる信号を送出する発報部１３８とを備える。演算部１３は、例えば、マイクロプロセッサ等で構成される。
【００２４】
負荷回路制御部１３１は、負荷回路１０を制御すべく設けられる。例えば、負荷回路制御部１３１は、負荷回路１０に流れる試験電気のオンオフを制御する。また、負荷回路制御部１３１は、電線１７を介して負荷回路１０に流れる試験電気の電流値を制御する。このとき、負荷回路制御部１３１は、点検対象回路保護用のヒューズが切れず、配電盤１００，１１０，１２０のそれぞれが誤動作しない条件で試験電気を流すように負荷回路１０を制御する。本実施形態では、一例として、負荷回路制御部１３１は、既定値である１．０Ａの試験電気で、三相交流の各相に対して５０ｍｓの電流が流れるように負荷回路１０を制御する。なお、記憶部１４がこの負荷回路１０を制御する条件を記憶しており、負荷回路制御部１３１は、記憶部１４に記憶されているこの条件を読み出して、負荷回路１０を制御する。
【００２５】
電圧測定部１３２は、インタフェース回路１２を介して点検対象回路Ａを流れる三相それぞれの対地間電圧を測定する。例えば、電圧測定部１３２は、ＰＴＴ１２１に流れる三相交流それぞれの対地間電圧を測定する。電圧測定部１３２は、測定した三相交流それぞれの対地間電圧を記憶部１４に記憶させる。具体的には、電圧測定部１３２は、点検対象回路Ａの三相交流のそれぞれについて、試験電気を流す前の対地間電圧と、試験電気を流している際の対地間電圧とを測定して、測定結果を記憶部１４に格納する。
【００２６】
抵抗導出部１３４は、三相のそれぞれの試験電気を流す前の対地間電圧と、試験電気を流している際の対地間電圧と、試験電気の電流値とを記憶部１４から読み出して、三相のそれぞれの抵抗値を導出する。具体的には、抵抗導出部１３４は、三相のそれぞれについて、試験電気を流す前の対地間電圧をＶ０、試験電気を流している際の対地間電圧をＶ１、試験電気の電流値をＩ１として、以下の式で三相のそれぞれの抵抗値を算出する。
（Ｖ０−Ｖ１）／Ｉ１
【００２７】
抵抗導出部１３４は、算出した三相のそれぞれの抵抗値を比較判断部１３５に送る。
【００２８】
比較判断部１３５は、抵抗導出部１３４が算出した三相のそれぞれの抵抗値を受信する。比較判断部１３５は、受信した三相それぞれの抵抗値を比較する。そして、比較判断部１３５は、三相のいずれかの抵抗値が同一でない場合（所定の閾値以上の差がある場合）に点検対象回路Ａに異常があると判断する。具体的には、比較判断部１３５は、１つの相の抵抗値が、他の２つの相の抵抗値に対して所定の閾値以上の差がある場合に、点検対象回路Ａに異常があると判断する。また、比較判断部１３５は、試験電気を流している際の三相それぞれの点検対象回路Ａの対地間電圧を記憶部１４から取得し、取得した対地間電圧が所定の値以下である場合に、点検対象回路Ａに異常があると判断する。比較判断部１３５は、点検対象回路Ａに異常があると判断すると、発報部１３８に異常がある旨の信号を送信する。
【００２９】
電線切替部１３６は、インタフェース回路１２を介してスイッチ部１６を切り替える制御をすべく設けられる。電線切替部１３６は、電圧測定部１３２による三相のいずれか１つの相の試験電気を流す前の対地間電圧の測定のために、スイッチ部１６を測定対象とする他の相に切り替える制御をする。また、電線切替部１３６は、電圧測定部１３２による三相のいずれか１つの相の試験電気を流している際の対地間電圧の測定のために、スイッチ部１６を測定対象とする他の相に切り替える制御をする。例えば、電線切替部１３６は、電圧測定部１３２から１つの相の対地間電圧の測定が終了した旨の信号を受ける度に、スイッチ部１６を測定対象とする他の相に切り替えるように制御してもよい。また、電線切替部１３６は、点検を実行する作業員からの入力を受け付けて、点検対象となる相に接続された電線１７にスイッチ部１６を切り替えるようにしてもよい。
【００３０】
発報部１３８は、比較判断部１３５から異常がある旨の信号を受信すると、異常を表示するための信号（警報を発する信号）を表示部１５に送信する。発報部１３８は、例えば、比較判断部１３５から三相のそれぞれの抵抗値を受信して、三相のそれぞれの抵抗値を表示する信号を表示部１５に送信するとともに、表示部１５の画面又は異常と判断された抵抗値を点滅させる信号を送信してもよい。
【００３１】
負荷回路１０は、ＡＤコンバータ１１及びスイッチ部１６の間の回路を分岐した先に接続される。負荷回路１０は、インタフェース回路１２を介する負荷回路制御部１３１の制御により、点検対象回路Ａから電線１７を介して既定の電流値の試験電気を流す。
【００３２】
ＡＤコンバータ１１は、負荷回路１０及びスイッチ部１６の間をクリップする計器用変流器（ＣＴ）を介して取得した電流値をＡＤ変換可能になっている。また、ＡＤコンバータ１１は、点検対象回路Ａの各相の対地間電圧をＡＤ変換可能になっている。
【００３３】
インタフェース回路１２は、演算部１３からの制御信号を負荷回路１０、表示部１５に送信すべく設けられる。また、インタフェース回路１２は、スイッチ部１６に接続され、演算部１３の制御に応じて、スイッチ部１６に点検対象とする電線１７を切り替える信号を送信可能になっている。
【００３４】
記憶部１４は、例えば、不揮発性メモリ等の記憶媒体で構成される。記憶部１４は、負荷回路１０の制御条件を記憶しており、負荷回路制御部１３１及び抵抗導出部１３４により制御条件を読出可能になっている。また、記憶部１４は、負荷回路１０が動作を開始した時刻から電圧を測定するまでの待機時間を記憶しており、電圧測定部１３２により待機時間を読出可能になっている。そして、記憶部１４は、電圧測定部１３２により測定された三相のそれぞれの試験電気を流す前の対地間電圧と、電圧測定部１３２により測定された試験電気を流している際の対地間電圧とを記憶可能になっている。
【００３５】
表示部１５は、例えば、液晶パネル等の表示装置で構成される。表示部１５は、発報部１３８からの異常を報知する信号に基づいて、点検対象回路Ａの異常を視認可能に表示する。
【００３６】
スイッチ部１６は、インタフェース回路１２を介する電線切替部１３６の制御により、負荷回路１０に対して第１電線１７ａ、第２電線１７ｂ、及び第３電線１７ｃを切り替えて接続可能に構成される。また、スイッチ部１６は、インタフェース回路１２を介する電線切替部１３６の制御により、負荷回路１０をいずれの電線１７にも接続しない状態に切り替え可能に構成される。例えば、スイッチ部１６は、第１電線１７ａに接続される端子１８ａ、第２電線１７ｂに接続される端子１８ｂ、第３電線１７ｃに接続される端子１８ｃ、及びいずれの電線１７にも接続されない端子１８ｄのいずれかに負荷回路１０の接続先を切り替え可能に構成される。
【００３７】
本実施形態に関する回路点検装置１の構成は以上であり、次に、本実施形態における回路点検装置１の流れを図３のフローチャートを用いて説明する。
【００３８】
まず、回路点検装置１は、第１電線１７ａ、第２電線１７ｂ、及び第３電線１７ｃを用いて配電盤１２０のＰＴＴ１２１に接続される。具体的には、端子１８ａが、第１電線１７ａに接続され、端子１８ｂが第２電線１７ｂに接続され、端子１８ｃが第３電線１７ｃに接続される。
【００３９】
そして、電圧測定部１３２は、三相のそれぞれの対地間電圧を測定する（ステップＳ１０）。具体的には、電線切替部１３６は、測定対象とする１つの相に係る電線１７を測定可能とするようにスイッチ部１６を制御する。電圧測定部１３２は、スイッチ部１６が測定対象とする１つの相に係る電線１７に切り替えられると、その相の対地間電圧（試験電気を流す前の対地間電圧）を測定する。電圧測定部１３２が１つの相の対地間電圧を測定すると、電線切替部１３６は、測定対象とする次の相に係る電線１７を測定可能とするようにスイッチ部１６を制御する。電線切替部１３６及び電圧測定部１３２は、この動作を繰り返し、三相のそれぞれの対地間電圧を計測する。電圧測定部１３２は、測定した三相のそれぞれの対地間電圧を記憶部１４に記憶する。
【００４０】
次に、電線切替部１３６は、電線１７に試験電気を流している際の対地間電圧を測定すべく、測定対象となる１つの相に係る電線１７を測定可能とするようにスイッチ部１６を制御する。電線切替部１３６によりスイッチ部１６が切り替えられると、負荷回路制御部１３１は、記憶部１４に記憶されている負荷回路１０の制御条件に基づいて、電線１７を介して試験電気を流すように負荷回路１０を制御する（ステップＳ２０）。そして、電圧測定部１３２は、記憶部１４から読み出した待機時間を経過するまで待機する（ステップＳ３０）。電圧測定部１３２は、待機時間の経過後、電線１７を用いて、測定対象の相の対地間電圧を計測する（ステップＳ４０）。電圧測定部１３２は、測定した対地間電圧を記憶部１４に記憶する。負荷回路制御部１３１は、電圧測定部１３２による対地間電圧の測定の後に、負荷回路１０をオフにする制御をする（ステップＳ５０）。その後、ステップＳ２０に戻り、全ての相について試験電気を流している際の対地間電圧を測定するまで繰り返す（ステップＳ６０）。
【００４１】
全ての相の対地間電圧を測定した後、電線切替部１３６は、スイッチ部１６を制御して、電線１７と負荷回路１０との接続を切り離す。具体的には、電線切替部１３６は、スイッチ部１６の接続先を端子１８ｄにすることで、電線１７と負荷回路１０との接続を切り離す（ステップＳ７０）。
【００４２】
抵抗導出部１３４は、電圧測定部１３２によって測定された三相のそれぞれの試験電気を流す前の対地間電圧と、試験電気を流している際の対地間電圧とを記憶部１４から取得する。また、抵抗導出部１３４は、負荷回路１０によって電線１７に流された電流値（負荷回路１０の制御条件）を記憶部１４から取得する。抵抗導出部１３４は、取得した対地間電圧と電流値とを用いて、三相のそれぞれの抵抗値を算出する（ステップＳ８０）。抵抗導出部１３４は、算出した抵抗値を比較判断部１３５に送る。
【００４３】
比較判断部１３５は、抵抗導出部１３４から取得した抵抗値を比較する。具体的には、比較判断部１３５は、三相のうちの一相の抵抗値と他の相の抵抗値との差を算出する。比較判断部１３５は、抵抗値の差が所定値（所定の閾値）以内であるか否かを判断する（ステップＳ９０）。また、比較判断部１３５は、三相のそれぞれの試験電気を流している際の対地間電圧を記憶部１４から取得し、取得した対地間電圧のそれぞれが所定値以内であるか（試験電気が流されている際の点検対象回路Ａの各相の対地間電圧が所定の値を下回っているか否か）を判断する。比較判断部１３５は、抵抗値の差が所定値以上（所定の閾値以上）である場合に、点検対象回路Ａに異常があると判断する（ステップＳ９０ＮＯ）。また、比較判断部１３５は、試験電気が流されている際の点検対象回路Ａの各相の対地間電圧が所定の値を下回っている際に、点検対象回路Ａに異常があると判断する。比較判断部１３５は、点検対象回路Ａに異常があると判断すると、発報部１３８に異常を報知する旨の信号を送出する。
【００４４】
発報部１３８は、比較判断部１３５から異常を報知する旨の信号を受信すると、表示部１５に点検対象回路Ａの異常があることを表示させる（ステップＳ１００）。また、発報部１３８は、図示しない音声出力部に対して警告音を出すようにしてもよい。
【００４５】
（実施例）
次に、図４及び図５を用いて、回路点検装置１を用いた回路点検の実施例を説明する。
本実施例では、図４は、試験電気を流す前の対地間電圧を測定した各相の点検対象回路Ａを示し、図４（ａ）は赤相の点検対象回路Ａ、図４（ｂ）は青相の点検対象回路Ａ、図４（ｃ）は白相の点検対象回路Ａを示す。そして、図５は、試験電気を流している際の対地間電圧を測定した各相の点検対象回路Ａを示し、図５（ａ）は赤相の点検対象回路Ａ、図５（ｂ）は青相の点検対象回路Ａを示す。なお、図５において、白相の点検対象回路Ａについては青相の点検対象回路Ａと同様の抵抗値であるので図示を省略している。
【００４６】
図４における点検対象回路Ａでは、第１回路７０の抵抗値を三相とも０．２Ω、第２回路９１の抵抗値を０．４Ωであるとし、計器用変圧器３０から第１回路７０に入力される対地間電圧を三相とも６３．５０Ｖとする。そして、図４（ａ）に示す赤相の点検対象回路Ａにおいて、端子８１に異常（接触不良）があり、１．０Ωの抵抗値があるものとする。
【００４７】
図４（ａ）乃至図４（ｃ）に示すように、試験電気を流す前の対地間電圧は、赤相（ＶＲ）が６２．７０Ｖ、青相（ＶＳ）が６３．０６Ｖ、白相（ＶＳ）が６３．０６Ｖとして示される。この対地間電圧値の差は、０．３６Ｖである。この程度の差は、点検対象回路Ａの三相のそれぞれの負荷の違いにより生じることも考えられることから、赤相に異常があるとまではいえない。
【００４８】
そこで、図５に示すように、点検対象回路Ａの三相のそれぞれから電線１７を介して負荷回路１０に試験電気を流した際の対地間電圧を測定すると、図５（ａ）及び図５（ｂ）に示すように、赤相の対地間電圧は、６１．１０Ｖ、青相の対地間電圧は、６２．４６Ｖとなる。
【００４９】
試験電気を流す前の対地間電圧、試験電気を流している際の対地間電圧、及び試験電気の電流値から各相の点検対象回路Ａの抵抗値をそれぞれ算出すると、赤相の点検対象回路Ａの抵抗値は、１．６Ω、青相及び白相の点検対象回路Ａの抵抗値は、０．６Ωとなる。赤相の点検対象回路Ａの抵抗値は、青相及び白相の点検対象回路Ａの抵抗値の２倍以上であり、接触不良が発生していると判断できる。なお、図５には示されていないが、配電盤１２０に影響が出ない１．０Ａ程度の試験電気を流した際に、対地間電圧が６０Ｖを下回るような場合は、点検対象回路Ａに使用されているケーブルの径が小さく抵抗値が高い等、点検対象回路Ａの設計が不適切であると判断できる。
【００５０】
以上のように、本実施形態に係る回路点検装置１によれば、交流変圧器２０及び配電盤１２０を接続する点検対象回路Ａに接続され、該点検対象回路Ａの点検を行う回路点検装置１であって、点検対象回路Ａの設置の良否結果を演算する演算部１３を備え、演算部１３は、点検対象回路Ａの交流各相のそれぞれから供給される試験電気を用いて、点検対象回路Ａの各相の抵抗値を導出する抵抗導出部１３４と、該抵抗導出部１３４により導出された各相の抵抗値を比較して、点検対象回路Ａの設置異常を判断する比較判断部１３５とを有する。
【００５１】
このような構成において、抵抗導出部１３４は、点検対象回路Ａの交流各相から供給される試験電気の大きさに基づいて、点検対象回路Ａの各相の抵抗値を導出する。導出された各相の抵抗値は、同一となっていることが好ましい。そこで、比較判断部１３５は、抵抗導出部１３４により導出された各相の抵抗値を比較する。そして、比較判断部１３５は、比較の結果、各相の抵抗値が異なることで、点検対象回路Ａの異常を判断する。これにより、各相の抵抗値を相対的に容易に判断することができる。
【００５２】
また、本実施形態に係る回路点検装置１において、点検対象回路Ａの各相から既定の試験電気が流れる負荷回路１０をさらに備え、演算部１３は、交流各相について試験電気が流れる前及び流れている際の点検対象回路Ａの対地間電圧を測定する電圧測定部１３２を有し、抵抗導出部１３４は、該電圧測定部１３２で測定された試験電気が流れる前の点検対象回路Ａの対地間電圧及び流れている際の点検対象回路Ａの対地間電圧の差と既定の電流値とから各相の抵抗値を導出してもよい。
【００５３】
このような構成において、電圧測定部１３２は、点検対象回路Ａに試験電気が流れる前における点検対象回路Ａの対地間電圧を測定する。その後、負荷回路１０には、点検対象回路Ａから既定の試験電気が流れる。電圧測定部１３２は、負荷回路１０に試験電気が流れている際の点検対象回路Ａの交流各相の対地間電圧を測定する。
【００５４】
抵抗導出部１３４は、試験電気が流れる前における点検対象回路Ａの各相の対地間電圧と試験電気が流れている際の点検対象回路の各相の対地間電圧の差と、既定の電流値（試験電気の電流値）とから、各相の抵抗値を導出する。比較判断部１３５は、導出された各相の抵抗値を比較し、各相間の抵抗値が異なる際に、点検対象回路Ａを設置異常と判断する。これにより、点検対象回路Ａの停電等をすることなく、点検対象回路Ａが正常に設置されているか否かを判断することができる。
【００５５】
また、本実施形態に係る回路点検装置１において、比較判断部１３５は、試験電気が流れている際の点検対象回路Ａの各相の対地間電圧が所定の値を下回っている際に、点検対象回路Ａを異常と判断してもよい。
【００５６】
このような構成において、負荷回路１０に試験電気が流れている際に、電圧測定部１３２により測定された点検対象回路Ａの各相の対地間電圧が所定の値を下回っている場合、比較判断部１３５は、点検対象回路Ａに用いられているケーブルの径が小さい等、点検対象回路Ａの設計が不適切であると判断する。このように、比較判断部１３５が点検対象回路Ａの異常を判断することで、点検対象回路Ａの停電等をすることなく、点検対象回路Ａの異常を判断することができる。
【００５７】
なお、本発明に係る回路点検装置は、上記実施形態に限定されるものではなく、本発明の要旨を逸脱しない範囲内において、種々変更を加え得ることは勿論である。
回路点検装置１に対して、以下のような変形例が考えられる。
【００５８】
例えば、上記実施形態に係る回路点検装置１において、抵抗導出部１３４が点検対象回路Ａの各相の抵抗値を直接的に取得（測定）してもよい。そして、比較判断部１３５は、取得された各相の抵抗値を比較してもよい。比較判断部１３５は、比較の結果、各相の抵抗値が同一でないときに、点検対象回路Ａの設置異常と判断する。このとき、比較判断部１３５は、各相の抵抗値の差が所定の閾値を超えるときに、点検対象回路Ａの設置異常と判断してもよい。
【００５９】
また、上記実施形態に係る回路点検装置１は、中性線が設置されており、対地間電圧が測定できる回路や、三相ＧＰＴを用いる交流回路に対しても用いることができる。なお、これらの回路に用いる場合には、回路に用いられているケーブルが同心である必要がある。また、上記実施形態では、三相交流を一例として説明したが、複数相であればどのような交流であってもよい。要は、対地間電圧を用いて、複数相のそれぞれの抵抗値を比較できるような回路であれば、上記実施形態の回路点検装置１を用いることができる。
【００６０】
また、上記実施形態に係る回路点検装置１では、電線１７を用いて回路点検装置１とＰＴＴ１２１とを接続する構成としたが、これに限らず、回路点検装置１とＰＴＴ１２１との接続は、導電性材料であればどのような部材が用いられてもよい。
【００６１】
また、上記実施形態に係る回路点検装置１では、試験電気を流している際における、電圧測定部１３２による三相のそれぞれの対地間電圧の測定では、待機時間を経過した後に計測することとした。これは、試験電気を流した直後の過渡現象の影響を排除するため、試験電気を流してから１サイクル程度（６０Ｈｚでは約１７．５ｍｓ、５０Ｈｚでは約２０ｍｓ）時間をおくのが好ましい。また、電圧計測部１３２は、２サイクル程度の電圧実効値の平均を取るのが好ましい。これにより、より正確な対地間電圧を測定できるので、点検対象回路Ａについてより適切に点検を実施することができる。
【００６２】
また、上記実施形態に係る回路点検装置１では、定期点検等で一定の期間ごとに繰り返し点検を実施し、前回の測定記録と最新の測定記録とを比較することで、不具合の発生有無や不具合の前兆を把握することができる。
【００６３】
また、上記実施形態に係る回路点検装置１では、スイッチ部１６を用いて三相のそれぞれの電線１７を切り替えて試験電気を流し、三相のそれぞれの対地間電圧を測定することとしたが、正確に対地間電圧を測定できるのであれば、スイッチ部１６を設けずに同時に三相のそれぞれに試験電気を流し、三相のそれぞれの点検対象回路Ａの対地間電圧を同時に測定するような構成を採用してもよい。このような構成において、試験電気を流す前の対地間電圧についても、同時に測定するようにしてもよい。
【符号の説明】
【００６４】
１０…負荷回路、１１…ＡＤコンバータ、１２…インターフェース回路、１３…演算部、１４…記憶部、１５…表示部、１６…スイッチ部、１７…電線、１７ａ…第１電線、１７ｂ…第２電線、１７ｃ…第３電線、１８ａ，１８ｂ，１８ｃ，１８ｄ…端子、２０…交流変圧器、３０…計器用変圧器、４０…電源分割部、７０…第１回路、８１，８２，８３…接続端子、９１，９２，９３…第２回路、１００，１１０，１２０配電盤、１２１…点検端子（ＰＴＴ）、１３１…負荷回路制御部、１３２…電圧測定部、１３４…抵抗導出部、１３５…比較判断部、１３６…電線切替部、１３８…発報部、Ａ…点検対象回路
【図１】
2016128793.tif 000003
【図２】
2016128793.tif 000004
【図３】
2016128793.tif 000005
【図４】
2016128793.tif 000006
【図５】
2016128793.tif 000007